(57)【要約】【課題】受信した番組表データに基づいて番組表を表示する際に、チャンネルの特性に応じて表示形態を変更可能な放送受信装置および番組表表示方法を提供する。【解決手段】この発明の放送受信装置１１は、映像及び文字情報等を表示可能な表示出力を出力する映像処理部５８と、取得した番組表情報から、表示出力を出力すべき対象となる期間に複数番組を提供する事業者またはチャンネルがあることを検知する信号処理部４７（ＴＳ復調器４６，５６含む）と、表示出力を出力すべき対象となる期間に複数番組を提供する事業者またはチャンネルのあることが前記信号処理部において検知された場合、前記映像処理部から出力される番組表を複数番組（マルチチャンネル）表示に切り換える制御部６０（ＣＰＵ６１他を含む）と、を有する。【選択図】      図１
2007074416.tif 000002
【特許請求の範囲】
【請求項１】
放送局の表示属性により表示方法を切り換えることのできる地上デジタル放送の番組表表示方法において、
放送局の表示属性を地域事業者識別に応じて切り換えることを特徴とする番組表表示方法。
【請求項２】
前記放送局の表示属性の指す内容が、総ての番組を表示する番組表を表示する複数番組表示とするか、１つの放送局で１チャンネル分のみを表示する１チャンネル表示とするか、であることを特徴とする請求項１記載の番組表表示方法。
【請求項３】
前記１チャンネル表示とすることを決定した前記放送局については、サービス番号が最小となるサービスを代表させて、番組表に表示させることを特徴とする請求項２記載の番組表表示方法。
【請求項４】
前記１チャンネル表示とするか複数番組表示とするかを、チャンネルプリセット処理時に判断することを特徴とする請求項２記載の番組表表示方法。
【請求項５】
取得した番組情報に基づいて番組表を表示する番組表表示方法において、
前記取得した番組表において、番組がイベント共有により放送されることが検知された場合に、前記番組情報の供給元である放送事業者または放送局から同時に最大で幾つの番組が放送されるかを判断して、番組表の表示を切り換えることを特徴とする番組表表示方法。
【請求項６】
前記放送事業者または放送局が、前記イベント共有により同時に１つの番組を放送する時間帯の番組表を表示するときは前記放送事業者または放送局について１チャンネル分の番組表表示を用い、複数の番組が同時に放送される時間帯の番組表を表示するときは、前記放送事業者または放送局について総てのチャンネルを表示する番組表表示を用いることを特徴とする請求項５記載の番組表表示方法。
【請求項７】
地上デジタル放送の可能な放送局から提供される映像及び文字情報を表示可能な表示出力を出力する映像処理部と、
取得した番組表情報から番組表を表示すべき放送局の表示属性のうちの地域事業者識別を検出する信号処理部と、
前記信号処理部において検出された地域事業者識別に従って、前記映像処理部から出力される番組表の表示を切り換える表示制御部と、
を有することを特徴とする放送受信装置。
【請求項８】
映像及び文字情報を表示可能な表示出力を出力する映像処理部と、
取得した番組表情報から番組表を表示すべき放送事業者または放送局から提供される番組情報に含まれる番組がイベント共有により放送されることが検知された場合に、前記番組情報の供給元である放送事業者または放送局から同時に最大で幾つの番組が放送されるかを判断する信号処理部と、
前記信号処理部により検出された番組情報から表示出力を出力すべき対象となる期間内に、イベント共有により放送される番組のあることが検知された場合に、前記番組情報の供給元である放送事業者または放送局から最大で同時にいくつの番組が放送されるかを判断して、前記映像処理部から出力される番組表の表示を切り換える表示制御部と、
を有することを特徴とする放送受信装置。
【発明の詳細な説明】
【技術分野】
【０００１】
この発明は、放送受信装置、特に、受信した番組表データに基づいて番組表を表示可能な、例えばデジタルテレビジョン放送受信装置および番組表表示方法に関する。
【背景技術】
【０００２】
周知のように、近年、テレビジョン放送のデジタル信号化が推進されている。例えば、日本国内においては、放送衛星を用いたＢＳ（Broadcasting Satellite）放送や通信衛星を用いたＣＳ（Communication Satellite）放送等の衛星放送に加えて、地上放送においても、デジタル放送が開始されている。
【０００３】
テレビジョン放送においては、今日、チャンネル毎の映像信号と音声信号とを含む放送信号に加え、ＥＰＧ（Electronic Program Guide，番組表データ）情報が提供されている。受信装置は、受信したＥＰＧ情報に基づいて番組表を作成し、画面に表示する。
【０００４】
ところで、デジタル放送の中には、ハイビジョン放送と呼ばれる規格があり、その場合、各チャンネルで要求されるデータ容量（放送信号の帯域）は、通常放送の３チャンネル分程度である。
【０００５】
このため、ハイビジョン放送が可能なデータ容量を有するチャンネルにおいては、通常放送の放送信号は、同時に３チャンネル分、提供可能である。なお、ハイビジョン放送が可能な容量を有するチャンネルにおいては、通常放送の複数の放送信号が供給される場合を考慮して、ＥＰＧ情報についても、複数のチャンネルのそれぞれを表示可能に表示スペースが確保される。
【０００６】
３チャンネルで別々の通常放送の番組を放送せずに、１つのハイビジョン放送の番組を放送するような場合に、イベント共有という情報によって、いずれのチャンネルを選局しても同じ番組を視聴することができ、なおかつ、同一の番組であることが認識できるようになっている。イベント共有は、ＢＳデジタル放送ではブロードキャスタ（事業者）内、地上デジタル放送では放送局内で運用される。
【０００７】
特許文献１には、ハイビジョン放送が放送されることで表示すべきＥＰＧデータが存在しなくなる残りの通常放送のための表示スペースを、ハイビジョン放送に割り当ててその表示スペースを広げることが提案されている。
【特許文献１】特開２００４−１５３８６５公報
【発明の開示】
【発明が解決しようとする課題】
【０００８】
しかしながら、特許文献１に示された表示方法では、表示対象の期間内にハイビジョン放送が放送されない場合であっても、ＥＰＧ表示としては、マルチチャンネル表示のチャンネル向けに多くの表示スペースは、常時確保される。
【０００９】
反面、イベント共有でハイビジョン放送の番組を常時放送している事業者、放送局が多いと、１つの番組の表示スペースが広くなるのと引き換えに１画面に表示できる事業者、放送局は減ってしまい、一覧性が損なわれる。
【００１０】
この対策として、事業者、放送局から放送される全てのチャンネルを表示する「複数チャンネル表示」と、いずれか１つのチャンネルだけを表示する「１チャンネル表示」を事業者、放送局ごとに切り換える方法が、既に考案されている。
【００１１】
しかしながら、「１チャンネル表示」に切り換えて番組表を表示している場合、複数のチャンネルで異なる番組が放送される時間帯が存在するにもかかわらず、番組情報を見逃してしまう（番組情報を見落とす）問題がある。
【００１２】
本発明の目的は、受信した番組表データに基づいて番組表を表示する際に、特に、出荷時には受信可能なチャンネルが不明な地上デジタル放送においても、チャンネルの特性に応じて表示形態を変更可能な放送受信装置および番組表表示方法を提供することである。
【課題を解決するための手段】
【００１３】
この発明は、上記問題点に基づきなされたもので、放送局の表示属性により表示方法を切り換えることのできる地上デジタル放送の番組表表示方法において、放送局の表示属性を地域事業者識別に応じて切り換えることを特徴とする番組表表示方法、を提供するものである。
【００１４】
またこの発明は、取得した番組情報に基づいて番組表を表示する番組表表示方法において、前記取得した番組表において、番組がイベント共有により放送されることが検知された場合に、前記番組情報の供給元である放送事業者または放送局から同時に最大で幾つの番組が放送されるかを判断して、番組表の表示を切り換えることを特徴とする番組表表示方法、を提供するものである。
【発明の効果】
【００１５】
以上のように、本発明の放送受信装置および番組表表示方法においては、ハイビジョン放送のための帯域（データ容量）が確保されたチャンネルのためのＥＰＧ情報の表示スペースは、通常放送の複数チャンネルで異なる番組が同時に提供される場合を除いて、通常放送の１つのチャンネル向けの表示スペースに準じて、その表示スペースの大きさが変更される。従って、複数のチャンネルで独立した番組が放送されていない時間帯や、ＥＰＧ表示対象期間において、通常放送のチャンネルのＥＰＧ情報の表示スペースが抑圧されることがなく、見やすいＥＰＧ表示が可能となる。
【発明を実施するための最良の形態】
【００１６】
以下、図面を参照して、この発明の実施の形態について詳細に説明する。
【００１７】
図１は、デジタルテレビジョン放送受信装置を概略的に説明するブロック図である。
【００１８】
デジタルテレビジョン放送受信装置１１は、例えばＳＥＤ（Surface-conduction Electron-emitter Display）表示パネル，液晶表示パネル等でなる平面パネル型の映像表示器１４、スピーカ１５、操作部１６、リモートコントローラ１７から送信される操作情報（入力信号）を受ける受光部１８等を、有する。また、放送受信装置１１は、上記各ユニットの動作や表示もしくはオーディオ出力を、制御部（制御ブロック，メインボードと呼ばれることもある）６０により、統括的に制御されている。制御部６０は、ＣＰＵ（Central Processing Unit）６１に代表される主制御ＩＣを内蔵し、操作部１６からの操作情報（入力）、またはリモートコントローラ１７から送出された操作情報を受光部１８により受信した（リモコン入力）制御信号に対応する操作内容が反映されるように、各部をそれぞれ制御している。制御部６０はまた、例えばＣＰＵ６１が実行する制御プログラムを保持したＲＯＭ（Read Only Memory）６２、ＣＰＵ６１に作業エリアを提供するＲＡＭ（Ramdom Access Memory）６３、及び各種の設定情報及び制御情報等が格納される不揮発性メモリ（Non Volatility Memory）６４を、含む。なお、放送受信装置１１は、制御部６０に接続された時計（タイマコントローラ）８０を有し、時刻管理や、ユーザからの入力により設定される録画予約が設定可能である。
【００１９】
以下、デジタルテレビジョン放送受信装置１１の主要な信号処理系について説明する。
【００２０】
ＢＳ／ＣＳデジタル放送受信用のアンテナ４２で受信した衛星デジタルテレビジョン放送信号は、入力端子４３を介して衛星デジタル放送用のチューナ４４に供給される。
【００２１】
チューナ４４は、制御部６０からの制御信号により所望のチャンネルの放送信号を選局し、この選局された放送信号をＰＳＫ（Phase Shift Keying）復調器４５に出力する。
【００２２】
ＰＳＫ復調器４５は、制御部６０からの制御信号に基づき、チューナ４４で選局された放送信号を復調して、所望の番組を含んだトランスポートストリームを得て、ＴＳ復号器４６に出力する。
【００２３】
ＴＳ復号器４６は、制御部６０からの制御信号により、トランスポートストリーム（ＴＳ）多重化された信号のＴＳ復号処理を行い、所望の番組のデジタルの映像信号及び音声信号を信号処理部４７に出力し、デジタル放送により送られている番組を取得するための各種データ（サービス情報），電子番組ガイド（ＥＰＧ）情報，番組属性情報（番組ジャンル等），字幕情報等を制御部６０へ出力する。
【００２４】
また、地上波放送受信用のアンテナ４８で受信した地上デジタルテレビジョン放送信号は、入力端子４９を介して地上デジタル放送用のチューナ５０に供給される。
【００２５】
チューナ５０は、制御部６０からの制御信号により所望のチャンネルの放送信号を選局し、この選局された放送信号をＯＦＤＭ（Orthogonal Frequency Division Multiplexing）復調器５１に出力する。
【００２６】
ＯＦＤＭ復調器５１は、制御部６０からの制御信号により、チューナ５０で選局された放送信号を復調して、所望の番組を含んだトランスポートストリームを得て、ＴＳ復号器５６に出力する。
【００２７】
ＴＳ復号器５６は、制御部６０の制御の下で、トランスポートストリーム（ＴＳ）多重化された信号のＴＳ復号処理を行い、所望の番組のデジタルの映像信号及び音声信号を信号処理部４７に出力し、デジタル放送により送られている番組を取得するための各種データや電子番組ガイド（ＥＰＧ）情報，番組属性情報（番組ジャンル等）等を制御部６０へ出力する。
【００２８】
地上波放送受信用のアンテナ４８で受信した地上アナログテレビジョン放送信号は、入力端子４９を介して地上アナログ放送用のチューナ５２に供給されることにより、所望のチャンネルの放送信号が選局される。チューナ５２で選局された放送信号は、アナログ復調器５３によりアナログの映像信号及び音声信号に復調された後、信号処理部４７に出力される。
【００２９】
信号処理部４７は、ＰＳＫ復調器４５及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
信号処理部４７にはまた、複数（図示の場合は４つ）の入力端子４０ａ，４０ｂ，４０ｃ，４０ｄが接続されている。これら入力端子４０ａ〜４０ｄは、それぞれ、アナログの映像信号及び音声信号を、放送受信装置１１の外部から入力可能とするものである。
【００３１】
信号処理部４７は、アナログ復調器５３及び各入力端子４０ａ〜４０ｄから、それぞれ供給されたアナログの映像信号及び音声信号を選択的にデジタル化し、このデジタル化された映像信号及び音声信号に対して所定のデジタル信号処理を施した後、グラフィック処理部５４及び音声処理部５５に出力する。
【００３２】
グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
なお、ＯＳＤ信号生成部５７により出力される出力ＯＳＤ信号は、αブレンディングのパラメータが設定されることで、通常の映像表示上に、「半透明」状態で（通常の映像信号の一部を透過可能に）重ね合わせて出力させることもできる。
【００３４】
グラフィック処理部５４はまた、放送信号が字幕信号を伴い、字幕が表示可能である場合は、制御部６０からの制御信号および字幕情報に基づき、映像信号上に字幕情報を重畳する処理を行う。
【００３５】
グラフィック処理部５４から出力されたデジタルの映像信号は、映像処理部５８に供給される。映像処理部５８は、入力されたデジタルの映像信号を、映像表示器（表示装置）１４で表示可能なフォーマットのアナログ映像信号に変換した後、映像表示器１４に出力して映像表示させるとともに、出力端子１９に接続される外部装置（ＤＶＤレコーダ等）に出力可能である。
【００３６】
音声処理部５５は、入力されたデジタルの音声信号を、スピーカ１５で再生可能なフォーマットのアナログ音声信号に変換した後、スピーカ１５に出力して音声再生させるとともに、出力端子２０に接続される外部装置（ヘッドホン装置等）に出力可能である。
【００３７】
図２は、受信した番組表データすなわちＥＰＧ情報に基づいて作成され、映像表示器１４に表示される番組表の一例を示す。
【００３８】
既に説明した通り、デジタル放送の中には、ハイビジョン放送と呼ばれる規格があり、その場合、各チャンネルで要求されるデータ容量（放送信号の帯域）は、通常放送の複数チャンネル分（現行では、３チャンネル分程度）である。このため、ハイビジョン放送が可能なデータ容量を有するチャンネルにおいては、ＥＰＧ情報についても、通常放送で複数チャンネル分の放送信号が供給される場合を考慮して、一般には、「マルチチャンネル表示」が用いられる。すなわち、ハイビジョン放送が可能な広い帯域が与えられたチャンネルにおいては、非ハイビジョン放送時には、独立して異なる複数の番組を放送できる。
【００３９】
なお、通常放送で、複数のチャンネルのそれぞれで異なる番組が放送されている場合であっても、ＥＰＧ（番組表）表示を１チャンネル分とする「１チャンネル表示（「代表チャンネル表示」と呼ばれることもある）」も可能である。しかしながら、「１チャンネル表示」または「代表チャンネル表示」で番組表を表示している場合、複数のチャンネルで異なる番組が放送される時間帯が存在するにもかかわらず、番組情報を見逃す（番組情報を見落とす）可能性がある。もちろん、「代表チャンネル表示（「１チャンネル表示」）」の方が同一サイズの画面（映像表示器１４の表示）に表示可能なチャンネル（放送局）数が多いことはいうまでもない。
【００４０】
例えば、図３は、総ての放送事業者（放送局）またはチャンネルにおいて、複数番組が提供される場合を想定して「マルチチャンネル表示（すなわち複数番組表示）」を用いた例であり、この例では、３つのチャンネル（放送局）のみが表示されるのみである。
【００４１】
例えば、定期的にあるいは特定の番組で、複数の独立した番組を放送している事業者や放送局は、通常の番組表表示を「マルチチャンネル表示」とすることが好ましい。反面、常時イベント共有でハイビジョン放送を行なっている事業者、放送局については、常時「１チャンネル表示（「代表チャンネル表示」）」の番組表を表示しても差し支えない。
【００４２】
このことから、図２に示すように、複数番組が提供される放送事業者（放送局）またはチャンネルについてのみ、「マルチチャンネル表示」を用いることで、この例では、１つのマルチチャンネルの放送局とマルチチャンネル放送がない４つの放送局（チャンネル）とを合わせて、５局（チャンネル）が表示可能である。
【００４３】
なお、図２及び図３に示した、映像表示器１４に表示すべき期間内のＥＰＧ情報内に、「マルチチャンネル表示」することが好ましい放送（放送事業者）があるか否かを検出して「マルチチャンネル表示」することが好ましい放送がある場合にのみ図２に示す「マルチチャンネル表示」とするため、「マルチチャンネル表示」することが好ましい放送（チャンネル）があるか否かを検出する方法を以下に説明する。
【００４４】
図４は、「マルチチャンネル表示」することが好ましい放送（チャンネル）の有無を検出する一例を示すフローチャートである。
【００４５】
ステップＳ１において、ＥＰＧ（番組表）作成（表示）モードが開始される。
【００４６】
次に、放送事業者又は放送局内の総てのチャンネル毎に、受信したＥＰＧ情報から「マルチチャンネル表示」することが好ましい放送の有無をチェックするループ（後段のステップＳ６までの各ステップで規定される第１のループ）が開始される（Ｓ２）。
【００４７】
続いて、ステップＳ２で特定された放送事業者（チャンネル）毎に、ＥＰＧ表示期間内で「マルチチャンネル表示」することが好ましい放送の有無をチェックするループ（後段のステップＳ５までの各ステップで規定される第２のループ）が開始される（Ｓ３）。
【００４８】
以下、第１及び第２のループ内で他のチャンネル（放送局）と異なる放送（この場合は「マルチチャンネル表示」することが好ましい番組）があることが検知された場合、ＥＰＧ作成モードにおいて、「マルチチャンネル表示」が設定される（Ｓ４−Ｙｅｓ）。
【００４９】
一方、第１及び第２のループ内で、総てのチャンネルのＥＰＧ情報が同一であることがチェックされた（「マルチチャンネル表示」することが好ましい番組が見つからない）場合、ＥＰＧ作成モードにおいて、「代表チャンネル表示」が設定される（Ｓ４−Ｎｏ，Ｓ５，Ｓ６）。
【００５０】
なお、例えば、ユーザがマルチチャンネルと代表チャンネルの表示を切り換えることが可能であっても、「代表チャンネル表示」の番組表の表示が設定されている場合、代表チャンネル表示となっているために複数の番組（「マルチチャンネル放送」）が放送されることに気付かない可能性が有る。
【００５１】
従って、上述したステップＳ４において、例えば放送波で送られてくるＥＩＴ（Event Information Table）による番組情報の内容を実際に確認することにより、複数番組が放送される事業者または放送局、例えばＢＳデジタル放送、あるいは地上デジタル放送等については「マルチチャンネル表示」としてを番組情報を見落とす虞れを低減し、１つの番組のみを放送する（１つの番組しか放送しない）事業者または放送局については「代表チャンネル表示」とすることで、一覧性の向上を図ることができる。
【００５２】
実際には、図４に示すように、検索時間帯の範囲に複数番組の放送があるかを確認し、複数番組の時間が見付かった時点で、マルチチャンネル表示と判断すれば良い。検索時間帯は、番組表１画面に表示できる時間や、１日（０：００〜２４：００あるいは４：００〜翌日の４：００など）、もしくは、番組情報を保持している全時間帯、等に設定することができる。
【００５３】
すなわち、この方法によれば、事業者および放送局のＥＩＴの内容を判断して、複数の番組を放送する事業者および放送局はマルチチャンネル表示し、イベント共有で１つの番組しか放送しない事業者および放送局は代表チャンネル表示するように、番組表における事業者および放送局の表示属性を切り換えることができる。これにより、一覧性を向上でき、しかも番組情報の見逃し（見落とし）を防ぐことができる。
【００５４】
図５は、ＥＰＧ作成モードにおいて、地上デジタル放送の「１チャンネル（代表チャンネル）表示」を設定する方法の一例を示す概略図である。
【００５５】
現在、サービスエリアが、順次拡大されつつある地上デジタル放送は、受信する地域により受信できる放送局が異なり、製品（テレビジョン受像機やチューナ付き録画装置）の出荷時には、テレビジョン受像機やチューナ付き録画装置等は、受信可能放送局の情報を持たず、設置／初回通電時等の初期スキャン、あるいはユーザの手動による再スキャンを含むチャンネルプリセット（処理）という動作により、実際に受信可能な放送局を検出した結果に従って、受信可能放送局やチャンネルが判明する仕様である。
【００５６】
このため、「代表チャンネル表示」を表示する際の代表チャンネルの情報を出荷時までに、あらかじめ設定しておくことは困難である。
【００５７】
従って、図５に示すように「代表チャンネル表示」を指定（選択）した放送局について（Ｓ１１−Ｙｅｓ）は、サービス番号が最小となるサービスを検索して（Ｓ１２）、その検索結果に基づいて「代表チャンネル表示」として表示すべきチャンネルまたは放送局を設定する（Ｓ１３）ことで、ユーザによる「代表チャンネル表示」の設定（決定）操作を必要とすることなく、「代表チャンネル表示」を表示可能となる。
【００５８】
このように、例えば、設置／初回通電時の初期スキャンの結果を利用して「代表チャンネル表示」を選択することで、ユーザにわずらわしい操作を求めることなく、代表チャンネル表示を行うことができる。
【００５９】
すなわち、この方法によれば、（設置／初回通電時の）スキャン結果に基づいて、地上デジタル放送の代表チャンネル表示を、ユーザのサービス指定無しに行うときに、サービス番号が最小となるサービスを自動的に代表チャンネルに設定することができる。これにより、一覧性を向上でき、しかも番組情報の見逃し（見落とし）を防ぐことができる。
【００６０】
ところで、関東地区での地上デジタル放送を見てみると、ＮＨＫ総合は、一部の番組で複数番組（マルチチャンネル）の運用を行っており、ＮＨＫ教育は、１日数時間程度複数番組（マルチチャンネル）の運用を行っている。一方民放各局は、複数番組の運用は行われていないようである。
【００６１】
実際に保持している番組情報を判断すれば、複数番組の運用時に番組情報を見逃すのを防ぐことができるが、運用形態を考慮すると、ＮＨＫは「マルチチャンネル表示」、民放は「代表チャンネル表示」とすることで、番組情報の判断よりも簡単な処理で、同様な効果が得られると期待できる。
【００６２】
なお、地上デジタル放送では、受信機に設定されている地域とスキャン処理により受信可能と判断された放送局から、リモコンのワンタッチボタンへの自動設定のために、各地の開局予定情報を保持することが想定されている。この情報を利用して、受信可能な放送局に対して、放送局を判断して、マルチチャンネル／代表チャンネル表示の切り換え等の番組表表示属性の決定（「マルチチャンネル表示」と「代表チャンネル表示」との切換／いづれかの表示方式の選択）を行うことができる。
【００６３】
例えば、図６に示すように、ネットワーク識別の値（識別結果）に基づいて、放送局の判断（受信可能放送局の特定）が実行されるが、ネットワーク識別から、地域識別、地域事業者識別を算出（抽出）しても良い。
【００６４】
詳細には、ネットワーク識別により抽出（検索）された放送局が、放送局Ａである場合（Ｓ２１−Ｙｅｓ）には、予め決められている「放送局Ａ向けの表示属性」を用い、抽出（検索）された放送局が、放送局Ｂである場合（Ｓ２２−Ｙｅｓ）には、「放送局Ｂ向けの表示属性」を用いることで、ユーザによる「体表チャンネル表示／マルチチャンネル表示」の設定（決定）操作を必要とすることなく、「代表チャンネル表示」または「マルチチャンネル表示」を表示可能となる。
【００６５】
以下、受信可能な総ての放送局またはチャンネルについて、抽出（検索）された放送局毎に（Ｓ２３，・・・，）予め決められている「表示属性」が用いられ、それぞれの放送局またはチャンネル毎に、「代表チャンネル表示」もしくは「マルチチャンネル表示」を表示可能となる。
【００６６】
すなわち、この方法によれば、番組表の表示属性を、放送局により自動的に切り換えるときに、スキャン結果として抽出（検索）された放送局毎の「表示属性」に基づいて、代表チャンネル表示を自動的に設定することができる。これにより、一覧性を向上できる。
【００６７】
また、ネットワーク識別から、地域識別、地域事業者識別を算出（抽出）して放送局を判断し、番組表表示属性を決定することも可能である。
【００６８】
例えば、現在公開されている（地上デジタル放送）開局予定情報では、ＮＨＫ総合（全国規模で放送を提供する）は、地域事業者識別の値が「０」、ＮＨＫ教育（全国規模で放送を提供する）は、地域事業者識別の値が「１」である。
【００６９】
従って、図７に示すように、地域事業者識別の値を算出（Ｓ３１）し、その算出結果が「０」である場合（Ｓ３２−Ｙｅｓ）と、「１」である場合（Ｓ３３−Ｙｅｓ）には、ＮＨＫ向けの「表示属性（「マルチチャンネル放送が提供される場合がある）」を用い、算出結果が「０」，「１」意外である場合（Ｓ３３−Ｎｏ）には、非ＮＨＫ向けの「表示属性（「マルチチャンネル放送は、原則としてその予定がない）」を用いることもできる。
【００７０】
この方法によれば、ＮＨＫの開局情報が公開されていない地域もあるが、地域事業者識別の値だけで、簡易に「ＮＨＫ」であることを判定し「マルチチャンネル表示」／「代表チャンネル表示」等の、番組表表示属性を決定することができる。
【００７１】
すなわち、地域事業者識別の値のみに基づいて、「ＮＨＫ」と「ＮＨＫ以外（民放）」の判断を、簡略化できる。
【００７２】
すなわち、この方法によれば、番組表の表示属性を、放送局により自動的に切り換えるときに、開局予定情報に従って、代表チャンネル表示を自動的に設定することができる。これにより、一覧性を向上でき、しかも番組情報の見逃し（見落とし）を軽減することができる。
【００７３】
また、スキャンした後の放送局の表示属性を、ＢＩＴ（Broadcaster Information Table）により送られてくる系列識別に従い、ＮＨＫは「マルチチャンネル表示」、民放は「代表チャンネル表示」とすることも可能である。
【００７４】
すなわち、図８に示すように、系列識別が「０」である場合（Ｓ４１−Ｙｅｓ）と「１」である場合（Ｓ４２−Ｙｅｓ）には、ＮＨＫと判断し、ＮＨＫ向けの「表示属性（「マルチチャンネル放送が提供される場合がある）」を用い、系列識別が「０」，「１」以外である場合（Ｓ４２−Ｎｏ）には、民放向けの「表示属性（「マルチチャンネル放送は、原則としてその予定がない）」を用いることもできる。
【００７５】
なお、ＢＩＴ（Broadcaster Information Table）により送られてくる系列識別は複数指定可能で、放送局の少ない地方では、１つの民放放送局が複数の系列に属することが考えられるため、系列識別のみに従って「表示属性」を切り換えることは困難であるが、図８に示す識別方法は、ＮＨＫと民放との区別には、利用可能である。
【００７６】
また、系列識別は、「マルチチャンネル表示」と「代表チャンネル表示」との切換（選択）には、必ずしも最良ではないものの、例えば民放とＮＨＫとの識別等にも利用可能である。
【００７７】
このように本実施形態では、放送事業者（放送局）またはチャンネル毎に「代表チャンネル表示」／「マルチチャンネル表示」を、ＥＰＧの表示期間において識別して自動的に切り換えることができる。従って、より多くの放送事業者（放送局）またはチャンネルの表示エリアを確保でき、数多くの事業者を表示して一覧性の高い番組表を表示することができる。
【００７８】
また、「代表チャンネル表示」が設定（選択）されている場合においても、複数の番組が提供される「マルチチャンネル」放送時には、表示されるＥＰＧが「マルチチャンネル表示」に切り換えられることから、一覧性が向上されるとともに、番組情報の見落とし等が低減される。
【００７９】
なお、本明細書中の番組または放送とは、動画像および音声による通常のテレビジョン放送による番組の他、音声のみによる番組でもよい。また、番組または放送は、必ずしも公衆向け放送によって提供されるものに限らず、例えばインターネットや専用線等により提供されるものであってもよい。
【００８０】
また、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００８１】
【図１】この発明の実施形態が適用されるテレビジョン受像機の一例を示す概略ブロック図。
【図２】図１に示したテレビジョン受像機の映像表示部（または表示装置）に表示される番組表（ＥＰＧ）の表示例を説明する概略図。
【図３】図１に示したテレビジョン受像機の映像表示部（または表示装置）に表示される番組表（ＥＰＧ）の表示例を説明する概略図。
【図４】図１に示したテレビジョン受像機の映像表示部（または表示装置）に表示される番組表を、マルチチャンネル表示と代表チャンネル表示が混在される例（本発明の実施形態）とするための、判定方法の一例を示す概略図。
【図５】図１に示したテレビジョン受像機の映像表示部（または表示装置）に表示される番組表を、マルチチャンネル表示と代表チャンネル表示が混在される例（本発明の実施形態）とするための、判定方法の一例を示す概略図。
【図６】図１に示したテレビジョン受像機の映像表示部（または表示装置）に表示される番組表を、マルチチャンネル表示と代表チャンネル表示が混在される例（本発明の実施形態）とするための、判定方法の別の一例を示す概略図。
【図７】図１に示したテレビジョン受像機の映像表示部（または表示装置）に表示される番組表を、マルチチャンネル表示と代表チャンネル表示が混在される例（本発明の実施形態）とするための、判定方法の別の一例を示す概略図。
【図８】図１に示したテレビジョン受像機の映像表示部（または表示装置）に表示される番組表を、マルチチャンネル表示と代表チャンネル表示が混在される例（本発明の実施形態）とするための、判定方法のさらに別の一例を示す概略図。
【符号の説明】
【００８２】
１１…テレビジョン放送受信装置（放送受信装置）、１４…映像表示部、４６，５６…ＴＳ復調器、４７…信号処理部、５８…映像処理部、６０…制御部。
【図１】
2007074416.tif 000003
【図２】
2007074416.tif 000004
【図３】
2007074416.tif 000005
【図４】
2007074416.tif 000006
【図５】
2007074416.tif 000007
【図６】
2007074416.tif 000008
【図７】
2007074416.tif 000009
【図８】
2007074416.tif 000010